(57)【要約】【課題】  特定した時刻に対応する食事形態が対応付けられた食事施設の情報を利用者に提供することにより、利用者の利便性を向上させたナビゲーション装置及び情報提供システムを提供する。【解決手段】  現在時刻を検出し（Ｓ１）、検出された現在時刻が属する現在時間帯に適合する食事施設を提供サービスタイプテーブル５１や提供ジャンルタイプテーブル５２を用いて検出する（Ｓ３、Ｓ８）とともに、適合する食事施設の情報を液晶ディスプレイ１５に表示することにより利用者に提供する（Ｓ７）ように構成する。【選択図】  図５
2007010573.tif 000002
【特許請求の範囲】
【請求項１】
提供する食事の食事形態を関連付けた食事施設の情報を記憶する食事施設情報記憶手段と、
利用者に情報を提供する情報提供手段と、
時刻を特定する時刻特定手段と、
前記時刻特定手段によって特定された時刻に対応する食事形態が関連付けられた食事施設の情報を前記食事施設情報記憶手段から取得する食事施設情報取得手段と、
前記食事施設情報取得手段により取得された食事施設の情報を前記情報提供手段によって利用者に提供する食事施設情報提供手段と、を有することを特徴とするナビゲーション装置。
【請求項２】
車両の現在地を検出する現在地検出手段を有し、
前記食事施設情報提供手段は、前記現在地検出手段によって検出された車両の現在地に基づいて、前記食事施設情報取得手段により取得された食事施設の情報を利用者に提供することを特徴とする請求項１に記載のナビゲーション装置。
【請求項３】
前記食事施設情報記憶手段において食事施設の情報に関連付けられた前記食事形態は、提供する食事に関する説明文字列によって特定され、
前記食事施設情報取得手段は、
時刻毎に予め設定されたキーワードの内、前記時刻特定手段によって特定された時刻に対応するキーワードが前記食事形態を特定する説明文字列に含まれているか否かを判定する文字列判定手段を備え、
前記文字列判定手段によってキーワードが含まれていると判定された場合に、キーワードが含まれている説明文字列が関連付けられた食事施設の情報を前記食事施設情報記憶手段から取得することを特徴とする請求項１又は請求項２に記載のナビゲーション装置。
【請求項４】
前記食事施設情報記憶手段において食事施設の情報に関連付けられた前記食事形態は、提供する食事の種類によって特定され、
前記食事施設情報取得手段は、
時刻毎に予め設定された食事の種類の内、前記時刻特定手段によって特定された時刻に対応する食事の種類が前記食事形態を特定する食事の種類と一致するか否かを判定する種類一致判定手段を備え、
前記種類一致判定手段によって食事の種類が一致すると判定された場合に、一致する食事の種類が関連付けられた食事施設の情報を前記食事施設情報記憶手段から取得することを特徴とする請求項１乃至請求項３のいずれかに記載のナビゲーション装置。
【請求項５】
前記食事施設の情報は食事施設の営業時間の情報を含み、
食事施設情報提供手段は、前記時刻特定手段によって特定された時刻が営業時間内である食事施設の情報を利用者に提供することを特徴とする請求項１乃至請求項４のいずれかに記載のナビゲーション装置。
【請求項６】
情報を記憶する情報記憶手段と、前記情報記憶手段に記憶された情報をナビゲーション装置に対して送信する情報送信手段と、を備えた情報センタと、
時刻を特定する時刻特定手段と、前記情報センタから送信された情報を受信する情報受信手段と、前記情報受信手段により受信された情報を利用者に提供する情報提供手段と、を備えたナビゲーション装置と、
を有する情報提供システムにおいて、
前記情報記憶手段には提供する食事の食事形態が関連付けられた食事施設の情報が記憶され、
前記ナビゲーション装置は、
前記時刻特定手段によって特定された時刻に対応する食事形態が関連付けられた食事施設の情報を前記情報センタから取得する食事施設情報取得手段と、
前記食事施設情報取得手段により取得された食事施設の情報を前記情報提供手段によって提供する食事施設情報提供手段と、を有することを特徴とする情報提供システム。
【発明の詳細な説明】
【技術分野】
【０００１】
本発明は、食事施設に関する情報を車両内の利用者に対して提供するナビゲーション装置及び情報提供システムに関し、特に、特定した時刻に対応する食事形態が対応付けられた食事施設の情報を利用者に提供することにより、利用者の利便性を向上させたナビゲーション装置及び情報提供システムに関するものである。
【背景技術】
【０００２】
近年、車両の走行案内を行い、ドライバーが所望の目的地に容易に到着できるようにしたナビゲーション装置が車両に搭載されていることが多い。ここで、ナビゲーション装置とは、ＧＰＳ受信機などにより自車の現在位置を検出し、その現在位置に対応する地図データをＤＶＤ−ＲＯＭなどの記録媒体またはネットワークを通じて取得して液晶モニタに表示するとともに、操作者が設定した目的地までの推奨経路を探索して、液晶モニタに表示された地図上に重ねて表示することが可能な装置である。更に、かかるナビゲーション装置には、所望する目的地を入力すると、自車位置から目的地までの最適経路を探索する経路探索機能を備えており、ディスプレイ画面に誘導経路を表示するとともに、交差点に接近した場合等には音声による案内をすることによって、ドライバーを所望の目的地まで確実に案内するようになっている。
【０００３】
また、従来のナビゲーション装置では利用者の利便性を向上させるために、本来の目的である経路案内を行う以外にも、レストランやファストフード店等の食事施設に関する情報を提供することも行っている。例えば、特開２００２−３１０７０７号公報には、現在時刻が食事時間帯である場合に、食事に関する施設の情報を利用者に提供するナビゲーション装置について記載されている。
【特許文献１】特開２００２−３１０７０７号公報（第４頁〜第６頁、図１４〜図１５）
【発明の開示】
【発明が解決しようとする課題】
【０００４】
しかしながら、前記した特許文献１に記載されたナビゲーション装置では、現在時刻が食事時間帯である場合には、自車近辺に位置する登録された全ての食事施設の情報が提供されることとなるので、利用者は提供された多数の情報の中から自らの手で希望する食事施設の情報を抽出しなければならず、相当量の作業時間が必要となっていた。例えば、会社の出勤時において朝食を取ることを希望する利用者がナビゲーション装置で食事施設を探す際に、ラーメン店やフランス料理店等の情報を提供したとしても、利用者にとっては不要な情報であり、それらの不要な情報によって利用者が真に必要とする喫茶店やファストフード店等の情報が得られ難くなるという問題が発生していた。
【０００５】
本発明は前記従来における問題点を解消するためになされたものであり、特定した時刻に応じて真に利用者にとって必要な食事施設の情報を選別して提供することが可能となり、利用者が必要な情報を迅速に得ることができる点において利便性を向上させたナビゲーション装置及び情報提供システムを提供することを目的とする。
【課題を解決するための手段】
【０００６】
前記目的を達成するため本願の請求項１にナビゲーション装置は、提供する食事の食事形態を関連付けた食事施設の情報を記憶する食事施設情報記憶手段と、利用者に情報を提供する情報提供手段と、時刻を特定する時刻特定手段と、前記時刻特定手段によって特定された時刻に対応する食事形態が関連付けられた食事施設の情報を前記食事施設情報記憶手段から取得する食事施設情報取得手段と、前記食事施設情報取得手段により取得された食事施設の情報を前記情報提供手段によって利用者に提供する食事施設情報提供手段と、を有することを有することを特徴とする。
尚、「時刻特定手段」はタイマーやＧＰＳ等の現在時刻を検出可能な検出手段であっても良いし、利用者による操作部の操作等に基づいて任意の時刻を特定する特定手段であっても良い。
【０００７】
また、請求項２に係るナビゲーション装置は、請求項１に記載のナビゲーション装置であって、車両の現在地を検出する現在地検出手段を有し、前記食事施設情報提供手段は、前記現在地検出手段によって検出された車両の現在地に基づいて、前記食事施設情報取得手段により取得された食事施設の情報を利用者に提供することを特徴とする。
【０００８】
また、請求項３に係るナビゲーション装置は、請求項１又は請求項２に記載のナビゲーション装置であって、前記食事施設情報記憶手段において食事施設の情報に関連付けられた前記食事形態は、提供する食事に関する説明文字列によって特定され、前記食事施設情報取得手段は、時刻毎に予め設定されたキーワードの内、前記時刻特定手段によって特定された時刻に対応するキーワードが前記食事形態を特定する説明文字列に含まれているか否かを判定する文字列判定手段を備え、前記文字列判定手段によってキーワードが含まれていると判定された場合に、キーワードが含まれている説明文字列が関連付けられた食事施設の情報を前記食事施設情報記憶手段から取得することを特徴とする。
【０００９】
また、請求項４に係るナビゲーション装置は、請求項１乃至請求項３のいずれかに記載のナビゲーション装置であって、前記食事施設情報記憶手段において食事施設の情報に関連付けられた前記食事形態は、提供する食事の種類によって特定され、前記食事施設情報取得手段は、時刻毎に予め設定された食事の種類の内、前記時刻特定手段によって特定された時刻に対応する食事の種類が前記食事形態を特定する食事の種類と一致するか否かを判定する種類一致判定手段を備え、前記種類一致判定手段によって食事の種類が一致すると判定された場合に、一致する食事の種類が関連付けられた食事施設の情報を前記食事施設情報記憶手段から取得することを特徴とする。
【００１０】
また、請求項５に係るナビゲーション装置は、請求項１乃至請求項４のいずれかに記載のナビゲーション装置であって、前記食事施設の情報は食事施設の営業時間の情報を含み、食事施設情報提供手段は、前記時刻特定手段によって特定された時刻が営業時間内である食事施設の情報を利用者に提供することを特徴とする。
【００１１】
更に、請求項６に係る情報提供システムは、情報を記憶する情報記憶手段と、前記情報記憶手段に記憶された情報をナビゲーション装置に対して送信する情報送信手段と、を備えた情報センタと、時刻を特定する時刻特定手段と、前記情報センタから送信された情報を受信する情報受信手段と、前記情報受信手段により受信された情報を利用者に提供する情報提供手段と、を備えたナビゲーション装置と、を有する情報提供システムにおいて、前記情報記憶手段には提供する食事の食事形態が関連付けられた食事施設の情報が記憶され、前記ナビゲーション装置は、前記時刻特定手段によって特定された時刻に対応する食事形態が関連付けられた食事施設の情報を前記情報センタから取得する食事施設情報取得手段と、前記食事施設情報取得手段により取得された食事施設の情報を前記情報提供手段によって提供する食事施設情報提供手段と、を有することを特徴とする。
【発明の効果】
【００１２】
前記構成を有する請求項１に係るナビゲーション装置では、特定された時刻に対応する食事形態が関連付けられた食事施設の情報を利用者に提供するので、特定された時刻に応じて真に利用者にとって必要な食事施設の情報を選別して提供することが可能となる。従って、利用者は必要な情報を煩雑な作業をすることなく迅速に得ることができ、利便性が大きく向上する。
【００１３】
また、請求項２に係るナビゲーション装置では、車両の現在地に基づいて、食事施設情報取得手段により取得された食事施設の情報を利用者に提供するので、より現在の利用者の状況に応じた必要な食事施設の情報を選別して提供することが可能となる。従って、利用者は必要な情報を煩雑な作業をすることなく迅速に得ることができ、利便性が大きく向上する。
【００１４】
また、請求項３に係るナビゲーション装置では、時刻毎に予め設定されたキーワードの内、特定された時刻に対応するキーワードが食事形態を特定する説明文字列に含まれているか否かを判定し、キーワードが含まれていると判定された場合に、キーワードが含まれている説明文字列が関連付けられた食事施設の情報を提供するので、多数の情報の中から利用者が必要とする食事施設の情報を正確に選別して提供することが可能となる。従って、利用者は必要な情報を煩雑な作業をすることなく迅速に得ることができ、利便性が大きく向上する。
【００１５】
また、請求項４に係るナビゲーション装置では、時刻毎に予め設定された食事の種類の内、特定された時刻に対応する食事の種類が食事形態を特定する食事の種類と一致するか否かを判定し、食事の種類が一致すると判定された場合に、一致する食事の種類が関連付けられた食事施設の情報を提供するので、多数の情報の中から利用者が必要とする食事施設の情報を正確に選別して提供することが可能となる。従って、利用者は必要な情報を煩雑な作業をすることなく迅速に得ることができ、利便性が大きく向上する。
【００１６】
また、請求項５に係るナビゲーション装置では、特定された時刻が営業時間内である食事施設の情報を利用者に提供するので、多数の情報の中から提供するに値しない営業時間外である食事施設の情報を予め除くことができ、利用者が必要とする食事施設の情報を選別して提供することが可能となる。
【００１７】
更に、請求項６に係る情報提供システムでは、ナビゲーション装置は特定された時刻に対応する食事形態が関連付けられた食事施設の情報を情報センタから取得し、取得された食事施設の情報を提供するので、特定された時刻に応じて真に利用者にとって必要な食事施設の情報を、ナビゲーション装置を介して利用者に提供することが可能となる。従って、利用者は現在の状況に応じて、その都度必要な情報を得ることが可能となり、利便性が向上する。
【発明を実施するための最良の形態】
【００１８】
以下、本発明に係るナビゲーション装置及び情報提供システムについてナビゲーション装置１及びナビゲーション装置１と情報センタ２とからなる情報提供システム３に具体化した第１及び第２実施形態に基づき図面を参照しつつ詳細に説明する。
【００１９】
（第１実施形態）
先ず、第１実施形態に係るナビゲーション装置１の概略構成について図１を用いて説明する。図１は第１実施形態に係るナビゲーション装置１を示したブロック図である。
【００２０】
図１に示すように第１実施形態に係るナビゲーション装置１は、自車の現在位置を検出する現在地検出処理部（現在地検出手段）１１と、各種のデータが記録されたデータ記録部（食事施設情報記憶手段）１２と、入力された情報に基づいて、各種の演算処理を行うナビゲーション制御部１３と、操作者からの操作を受け付ける操作部１４と、操作者に対して地図等の情報を表示する液晶ディスプレイ（情報提供手段）１５と、経路案内に関する音声ガイダンスを出力するスピーカ（情報提供手段）１６と、情報センタ２のサーバ２００（図９参照）との間で通信を行う通信装置（情報受信手段）１７と、から構成されている。また、ナビゲーション制御部１３には自車の走行速度を検出する車速センサ２１が接続される。
【００２１】
以下に、ナビゲーション装置１を構成する各構成要素について説明すると、現在地検出処理部１１は、ＧＰＳ（現在時刻特定手段）３１、地磁気センサ３２、距離センサ３３、ステアリングセンサ３４、方位検出部としてのジャイロセンサ３５、高度計（図示せず）等からなり、現在の自車の位置、方位、目標物（例えば、交差点）までの距離等を検出することが可能となっている。
【００２２】
具体的には、ＧＰＳ３１は、人工衛星によって発生させられた電波を受信することにより、地球上における自車の現在地及び現在時刻を検出し、地磁気センサ３２は、地磁気を測定することによって自車方位を検出し、距離センサ３３は、道路上の所定の位置間の距離等を検出する。ここで、距離センサ３３としては、例えば、自車の車輪（図示せず）の回転速度を測定し、測定した回転速度に基づいて距離を検出するセンサ、加速度を測定し、測定した加速度を２回積分して距離を検出するセンサ等を使用することができる。
【００２３】
また、ステアリングセンサ３４は自車の舵（だ）角を検出する。ここで、ステアリングセンサ３４としては、例えば、ステアリングホイール（図示せず）の回転部に取り付けられた光学的な回転センサ、回転抵抗センサ、車輪に取り付けられた角度センサ等が使用される。
【００２４】
そして、ジャイロセンサ３５は自車の旋回角を検出する。ここで、ジャイロセンサ３５としては、例えば、ガスレートジャイロ、振動ジャイロ等が使用される。また、ジャイロセンサ３５によって検出された旋回角を積分することにより、自車方位を検出することができる。
【００２５】
また、データ記録部１２は、外部記憶装置及び記録媒体としてのハードディスク（図示せず）と、ハードディスクに記録された施設情報ＤＢ２２（図２参照）、提供サービスタイプテーブル５１（図３参照）、提供ジャンルタイプテーブル５２（図４参照）、所定のプログラム、地図データ等を読み出すとともにハードディスクに所定のデータを書き込む為のドライバである記録ヘッド（図示せず）とを備えている。尚、第１実施形態においては、データ記録部１２の外部記憶装置及び記憶媒体としてハードディスクが使用されるが、ハードディスクのほかに、フレキシブルディスク等の磁気ディスクを外部記憶装置として使用することができる。また、メモリーカード、磁気テープ、磁気ドラム、ＣＤ、ＭＤ、ＤＶＤ、光ディスク、ＭＯ、ＩＣカード、光カード等を外部記憶装置として使用することもできる。また、データ記録部１２に記録されている施設情報ＤＢ２２、提供サービスタイプテーブル５１、提供ジャンルタイプテーブル５２に関しては後に詳細に説明する。
【００２６】
また、ナビゲーション制御部１３は、ナビゲーション装置１の全体の制御を行う演算装置及び制御装置としてのＣＰＵ４１、並びにＣＰＵ４１が各種の演算処理を行うに当たってワーキングメモリとして使用されるとともに、経路が探索されたときの経路データ等が記憶されるＲＡＭ４２、制御用のプログラムのほか、目的地までの経路の探索、探索した誘導経路の案内を行う経路案内処理プログラム、食事施設の情報提供を行うための後述の情報提供処理プログラム（図５参照）が記録されたＲＯＭ４３、ＲＯＭ４３から読み出したプログラムを記録するフラッシュメモリ４４等の内部記憶装置を備えている。尚、前記ＲＡＭ４２、ＲＯＭ４３、フラッシュメモリ４４等としては半導体メモリ、磁気コア等が使用される。そして、演算装置及び制御装置としては、ＣＰＵ４１に代えてＭＰＵ等を使用することも可能である。
【００２７】
また、第１実施形態においては、前記ＲＯＭ４３に各種のプログラムが記録され、前記データ記録部１２に各種のデータが記録されるようになっているが、プログラム、データ等を同じ外部記憶装置、メモリーカード等からプログラム、データ等を読み出して前記フラッシュメモリ４４に書き込むこともできる。更に、メモリーカード等を交換することによって前記プログラム、データ等を更新することができる。
【００２８】
更に、前記ナビゲーション制御部１３には、操作部１４、液晶ディスプレイ１５、スピーカ１６、通信装置１７の各周辺装置（アクチュエータ）が電気的に接続されている。
【００２９】
操作部１４は、走行開始時の現在地を修正し、案内開始地点としての出発地及び案内終了地点としての目的地を入力する際等に操作され、各種のキー、ボタン等の複数の操作スイッチ（図示せず）から構成される。そして、ナビゲーション制御部１３は、各スイッチの押下等により出力されるスイッチ信号に基づき、対応する各種の動作を実行すべく制御を行う。特に第１実施形態に係るナビゲーション装置１では、通常の経路案内画面が液晶ディスプレイ１５に表示された状態で所定の操作を行うことにより、施設情報ＤＢ２２に格納された食事施設の情報をリストアップして液晶ディスプレイ１５に表示させる制御を行う（図６参照）。尚、操作部１４としては、キーボード、マウス、バーコードリーダ、遠隔操作用のリモートコントロール装置、ジョイスティック、ライトペン、スタイラスペン等を使用することもできる。更に、液晶ディスプレイ１５の前面に設けたタッチパネルによって構成することもできる。
【００３０】
また、液晶ディスプレイ１５には、操作案内、操作メニュー、キーの案内、現在地から目的地までの誘導経路、誘導経路に沿った案内情報、交通情報、ニュース、天気予報、時刻、メール、テレビ番組、現在時刻に基づいてリストアップされた食事施設の情報（図６参照）等が表示される。尚、液晶ディスプレイ１５の代わりに、ＣＲＴディスプレイ、プラズマディスプレイ等を使用したり、車両のフロントガラスにホログラムを投影するホログラム装置等を使用することも可能である。
【００３１】
また、スピーカ１６は、ナビゲーション制御部１３からの指示に基づいて誘導経路に沿った走行を案内する音声ガイダンスや食事施設の情報等の案内情報を出力する。ここで、案内される音声ガイダンスとしては、例えば、「２００ｍ先の交差点を右折してください。」や「この先の国道○○号線が渋滞しています。」等がある。なお、スピーカ１６より出力される音声としては、合成された音声のほかに、各種効果音、予めテープやメモリ等に録音された各種の案内情報を出力することもできる。
【００３２】
そして、通信装置１７は、情報センタ２から送信された渋滞情報、交通事故情報等の交通情報と駐車場情報、サービスエリアの混雑状況等の施設情報を、道路に沿って配設された電波ビーコン装置、光ビーコン装置等を介して電波ビーコン、光ビーコン等として受信するビーコンレシーバである。また、通信装置１７としては、ＬＡＮ、ＷＡＮ、イントラネット、携帯電話回線網、電話回線網、公衆通信回線網、専用通信回線網、インターネット等の通信回線網等の通信系において通信を可能とするネットワーク機器であっても良い。更に、通信装置１７は前記情報センタからの情報の他に、ニュース、天気予報等の情報から成るＦＭ多重情報を、ＦＭ放送局を介してＦＭ多重放送として受信するＦＭ受信機を備える。尚、前記ビーコンレシーバ及びＦＭ受信機は、ユニット化されてＶＩＣＳレシーバとして配設されるようになっているが、別々に配設することもできる。
【００３３】
次に、図２を用いてデータ記録部１２に記録される施設情報ＤＢ２２について説明する。施設情報ＤＢ２２は、図２に示すように食事施設の名称を示した食事施設名称と、食事施設の位置を特定する為の地図データ上の座標を示した位置座標と、食事施設で提供する食事の種類であるジャンルと、食事施設の営業時間と、提供する食事に関するサービス内容を示す説明文字列とから構成されている。
【００３４】
ここで、特にジャンルとは、食事施設で提供する食事の食事形態を特定するものであり、主に提供する食事の種類（例えば、ラーメン、焼肉など）によって定義される。
また、サービス内容を示す説明文字列とは、同じく食事施設で提供する食事の食事形態を特定するものであり、具体的には食事施設で行っている食事に関連するサービス内容を説明した一又は複数のワードから構成される文字列である。例えば、ランチサービスを行っている食事施設では「ランチ」のワードが記録され、モーニングサービスを行っている食事施設では「モーニング」のワードが記録されている。尚、サービス内容を示す説明文字列は図２に示すような一又は複数のワードから構成される文字列でなく、長文の文章であっても良い（例えば、「１１時から１４時まで、ランチメニューを一律６００円で提供中。」等）。
【００３５】
そして、後述のように施設情報ＤＢ２２に記録された多数の食事施設に関する情報の内、ＧＰＳ３１によって検出された現在時刻と提供サービスタイプテーブル５１（図３参照）及び提供ジャンルタイプテーブル５２（図４参照）に基づいて抽出された特定の食事施設に関する情報が、液晶ディスプレイ１５やスピーカ１６等を介して利用者に対して提供される。
【００３６】
また、施設情報ＤＢ２２の内容は、外部に接続したメモリーカード等の記録媒体から施設情報を転送すること、又は特定の情報センタ等から通信装置１７を介して施設情報をダウンロードすること等によって更新される。
【００３７】
次に、図３を用いてデータ記録部１２に格納される提供サービスタイプテーブル５１について説明する。提供サービスタイプテーブル５１は、図３に示すように６つに区分された時間帯毎に複数のキーワードが設定されたテーブルである。
【００３８】
例えば、５：００〜１０：００のモーニングの時間帯では、「モーニング」、「朝食」、「朝」、「朝粥」の４種類のキーワードが設定されている。
また、１０：００〜１２：００のブランチの時間帯では、「ブランチ」、「モーニング」、「ランチ」の３種類のキーワードが設定されている。
また、１２：００〜１４：００のランチの時間帯では、「ランチ」、「昼食」、「昼定食」の３種類のキーワードが設定されている。
また、１４：００〜１７：００のティータイムの時間帯では、「アフタヌーンティー」、「ランチ」、「軽食」の３種類のキーワードが設定されている。
また、１７：００〜２１：００のディナーの時間帯では、「ディナー」、「軽食」、「懐石」、「夕食」の４種類のキーワードが設定されている。
更に、２１：００〜５：００のカクテルの時間帯では、「カクテル」、「ディナー」、「おつまみ」の３種類のキーワードが設定されている。
【００３９】
ここで、提供サービスタイプテーブル５１は前記施設情報ＤＢ２２が有する多数の食事施設の情報から現在時刻に基づいて利用者に適当な食事施設の情報を抽出し、提供する際に使用されるテーブルである。具体的には、ＧＰＳ３１によって検出された現在時刻が属する時間帯に設定されたいずれかのキーワードが、施設情報ＤＢ２２のサービス内容を示す説明文字列（図２参照）に含まれるか否かを判定し、含まれると判定された食事施設の情報を利用者に適当な情報として抽出し、提供する。例えば、現在時刻が１２：３０である場合には、「ランチ」、「昼食」、「昼定食」のいずれかのキーワードをサービスの説明文字列に含む食事施設の情報（図２では「○○○」、「△△△」、「□□□」の３施設の情報）が抽出され、提供されることとなる。
【００４０】
次に、図４を用いてデータ記録部１２に格納される提供ジャンルタイプテーブル５２について説明する。提供ジャンルタイプテーブル５２は、図４に示すように６つに区分された時間帯毎に複数の食事のジャンル（種類）の適合／不適合が設定されたテーブルである。
【００４１】
例えば、５：００〜１０：００のモーニングの時間帯では、「喫茶店」、「ファストフード」は適合したジャンルに設定され、「ラーメン」、「とんかつ」、「焼肉」、「お好み焼き」は不適合のジャンルに設定されている。
また、１０：００〜１２：００のブランチの時間帯では、「ラーメン」、「お好み焼き」、「喫茶店」、「ファストフード」は適合したジャンルに設定され、「とんかつ」、「焼肉」は不適合のジャンルに設定されている。
また、１２：００〜１４：００のランチの時間帯、１４：００〜１７：００のティータイムの時間帯及び１７：００〜２１：００のディナーの時間帯では、「ラーメン」、「とんかつ」、「焼肉」、「お好み焼き」、「喫茶店」、「ファストフード」の全てが適合したジャンルに設定されている。
更に、２１：００〜５：００のカクテルの時間帯では、「ラーメン」、「焼肉」、「お好み焼き」、「喫茶店」は適合したジャンルに設定され、「とんかつ」、「ファストフード」は不適合のジャンルに設定されている。
【００４２】
ここで、提供ジャンルタイプテーブル５２は、提供サービスタイプテーブル５１と同じく前記施設情報ＤＢ２２が有する多数の食事施設の情報から現在時刻に基づいて利用者に適当な食事施設の情報を抽出し、提供する際に使用されるテーブルである。具体的には、ＧＰＳ３１によって検出された現在時刻が属する時間帯において適合すると設定されたいずれかのジャンルが、施設情報ＤＢ２２のジャンル（図２参照）に一致するか否かを判定し、一致すると判定されたジャンルが関連付けられた食事施設の情報を利用者に適当な情報として抽出し、提供する。例えば、現在時刻が８：００である場合には、「喫茶店」、「ファストフード」のいずれかのジャンルが関連付けられた食事施設の情報（図２では「×××」、「▲▲▲」の２施設の情報）が抽出され、提供されることとなる。
【００４３】
続いて、前記構成を有するナビゲーション装置１においてＣＰＵ４１が実行する情報提供処理プログラムについて図５に基づき説明する。図５は第１実施形態に係る情報提供処理プログラムのフローチャートである。ここで、情報提供処理プログラムは、通常の経路案内処理が行われている状態で、利用者が操作部１４を用いて食事情報の提供を希望する所定の操作を行ったことを検出した場合に実行されるプログラムであり、抽出された適当な食事施設の情報を液晶ディスプレイ１５やスピーカ１６を用いて利用者に提供することを行う。尚、図５にフローチャートで示されるプログラムは、ナビゲーション装置１が備えているＲＡＭ４２やＲＯＭ４３に記憶されており、ＣＰＵ４１により実行される。
【００４４】
先ず、情報提供処理プログラムではステップ（以下、Ｓと略記する）１において、ＣＰＵ４１は、ＧＰＳ３１が受信した電波に基づいて現在時刻を検出する。その後、Ｓ２においては前記Ｓ１で検出した現在時刻に基づいて、現在の時刻が「５：００〜１０：００のモーニングの時間帯」、「１０：００〜１２：００のブランチの時間帯」、「１２：００〜１４：００のランチの時間帯」、「１４：００〜１７：００のティータイムの時間帯」、「１７：００〜２１：００のディナーの時間帯」、「２１：００〜５：００のカクテルの時間帯」の６つの時間帯の内、いずれの時間帯に属するか否かを判定し、属すると判定された時間帯を現在の時間帯として設定する。
【００４５】
次に、Ｓ３では、施設情報ＤＢ２２（図２参照）に格納された多数の食事施設の情報の内、車両の現在位置から１０ｋｍ以内に位置する食事施設であって、且つ前記Ｓ２で設定された現在時間帯と、提供サービスタイプテーブル５１（図３参照）とを用いて現在時間帯に適合するサービスを含む食事施設の情報を検出する。具体的には、先ずＧＰＳ３１により検出した車両の現在位置から半径１０ｋｍ以内に位置する食事施設の情報を施設情報ＤＢ２２の位置座標に基づいて抽出し、更に提供サービスタイプテーブル５１から現在時間帯に属するキーワードが、施設情報ＤＢ２２のサービス内容を示す説明文字列に含まれるか否かを抽出された食事施設毎に判定し、含まれると判定された食事施設の情報のみを施設情報ＤＢ２２から検出する。尚、このＳ３が文字列判定手段の処理に相当する。
【００４６】
その後、Ｓ４では前記Ｓ３の検出処理によって適合する食事施設の情報が少なくとも一以上検出されたか否かが判定される。そして、少なくとも一以上検出されたと判定された場合（Ｓ４：ＹＥＳ）には、Ｓ５へと移行する。
【００４７】
Ｓ５においては、前記Ｓ３の検出処理によって検出された食事施設の情報の内、現在時刻が営業時間内にある食事施設の情報を抽出する。具体的には、前記Ｓ１で検出された現在時刻が、前記Ｓ３で検出された食事施設に関連付けられた営業時間（図２参照）内であるか否かを検出された食事施設毎に判定し、営業時間内であると判定された食事施設の情報のみを更に抽出する。
【００４８】
その後、Ｓ６では前記Ｓ５の抽出処理によって適合する食事施設の情報が少なくとも一以上抽出されたか否かが判定される。そして、少なくとも一以上抽出されたと判定された場合（Ｓ６：ＹＥＳ）には、Ｓ７へと移行する。
【００４９】
そして、Ｓ７では前記Ｓ５で抽出された食事施設の情報を液晶ディスプレイ１５に表示することにより利用者に提供する。ここで、図６はナビゲーション装置１の液晶ディスプレイ１５に食事施設の情報を表示する際の表示形式を示した模式図である。
【００５０】
図６に示すように、利用者が食事施設の情報を表示する為の操作を行う前に関しては、液晶ディスプレイ１５には通常のナビゲーション装置１が有するナビゲーション機能による通常案内画面１０１が表示される。通常案内画面１０１には、現在の自車の周囲における地図と、地図上における自車の位置と進行方向を示すマーク１０２と、現在時刻を示す時刻表示部１０５が表示される。
【００５１】
そして、食事施設の情報を表示させる所定の操作がなされたことを検出した際には、液晶ディスプレイ１５は通常案内画面１０１から案内警告画面１１０へと一旦表示が切り換わる。案内警告画面１１０には、これから食事施設の情報を表示することを利用者に対して報知するコメント表示部１１１が表示され、更に、スピーカ１６からはコメント表示部１１１に表示された内容が音声によって出力される。
【００５２】
そして、その後所定時間経過した後には、液晶ディスプレイ１５は案内警告画面１１０から食事施設リスト画面１２０へと表示が切り換わる。食事施設リスト画面１２０には、食事施設の検索条件及び該当した食事施設の件数を表示した検索条件表示部１２１と、検索された食事施設の一覧を示した検索結果表示部１２２とから構成されている。
【００５３】
また、検索結果表示部１２２には、前記Ｓ５で抽出された食事施設の名称１２３、車両の現在地から食事施設への方位１２４、車両の現在地から食事施設への距離１２５がそれぞれ表示される。例えば、図６では現在の時刻である８：０５に対応する食事施設である「ＡＡＡ店」が自車の右方向５ｋｍ先に位置することを表示している。
ここで、車両の現在地からの食事施設の方位１２４は、施設情報ＤＢ２２に記録された位置座標（図２参照）と、ＧＰＳ３１で検出された車両の現在地とから算出される。また、車両の現在地からの食事施設の距離１２５は、施設情報ＤＢ２２に記録された位置座標（図２参照）と、地磁気センサ３２によって検出された自車方位とから算出される。
【００５４】
従って、利用者は食事施設リスト画面１２０を参照することによって、現在時刻に基づいて選別された適当な食事施設の名称及び位置に関する情報を得ることができるので、その利便性が向上する。尚、このＳ７が食事施設情報提供手段の処理に相当する。
【００５５】
一方、前記Ｓ４の判定処理において適合する食事施設が全く検出されなかったと判定された場合（Ｓ４：ＮＯ）には、Ｓ８へと移行する。
【００５６】
Ｓ８においては、施設情報ＤＢ２２（図２参照）に格納された多数の食事施設の情報の内、車両の現在位置から１０ｋｍ以内に位置する食事施設であって、且つ前記Ｓ２で設定された現在時間帯と、提供ジャンルタイプテーブル５２（図４参照）とを用いて現在時間帯に適合するジャンルの食事を提供する食事施設の情報を検出する。具体的には、先ずＧＰＳ３１より検出した車両の現在位置から半径１０ｋｍ以内に位置する食事施設の情報を施設情報ＤＢ２２の位置座標に基づいて抽出し、更に提供ジャンルタイプテーブル５２から現在時刻が属する時間帯において適合すると設定されたいずれかのジャンルが、食事施設のジャンル（図２参照）に一致するか否かを抽出された食事施設毎に判定し、一致すると判定されたジャンルが関連付けられた食事施設の情報のみを施設情報ＤＢ２２から検出する。尚、このＳ８が種類一致判定手段の処理に相当する。
【００５７】
その後、Ｓ９では前記Ｓ８の検出処理によって適合する食事施設の情報が少なくとも一以上検出されたか否かが判定される。そして、少なくとも一以上検出されたと判定された場合（Ｓ９：ＹＥＳ）には、Ｓ５へと移行し、前記Ｓ８の検出処理によって検出された食事施設の情報の内、現在時刻が営業時間内にある食事施設の情報を抽出する。具体的には、前記Ｓ１で検出された現在時刻が、前記Ｓ８で検出された食事施設に関連付けられた営業時間（図２参照）内であるか否かを検出された食事施設毎に判定し、営業時間内であると判定された食事施設の情報のみを更に抽出する。
【００５８】
その後、Ｓ６の判定処理において、少なくとも一以上抽出されたと判定された場合（Ｓ６：ＹＥＳ）には、前記Ｓ５で抽出された食事施設の情報を図６に示すように液晶ディスプレイ１５に表示することにより利用者に提供する（Ｓ７）。
【００５９】
一方、前記Ｓ６又は前記Ｓ９で適合する食事施設の情報が全く検出されなかったと判定された場合（Ｓ６：ＮＯ、Ｓ９：ＮＯ）には、該当する食事施設がない旨を液晶ディスプレイ１５に表示する（Ｓ１０）。その後、当該情報提供処理プログラムを終了する。尚、前記Ｓ３、Ｓ８が食事施設情報取得手段の処理に相当する。
【００６０】
尚、前記Ｓ７で検出された食事施設の情報を利用者に提供する際に液晶ディスプレイ１５に表示する表示画面としては、図６に示す表示画面以外にも、例えば図７や図８に示す表示画面を表示することとしても良い。
【００６１】
図７に示す食事施設情報表示画面１３０では、食事施設の名称や自車からの位置の他に、施設情報ＤＢ２２に記録された提供する食事のジャンルやサービス内容を示した説明文字列を表示する。それによって、利用者はより詳細な食事施設の情報を得ることが可能となる。
【００６２】
また、図８に示す食事施設情報表示画面１４０では、食事施設の位置を示すマーク１４１と、各マーク１４１に対応する食事施設の名称及び提供する食事のジャンル１４２がそれぞれ表示される。それによって、利用者は視覚的に検出された食事施設の位置を容易に把握することが可能となり、より利便性が向上する。
【００６３】
以上詳細に説明した通り、第１実施形態に係るナビゲーション装置１では、現在時刻を検出し（Ｓ１）、現在時刻が属する現在時間帯に適合する食事施設を提供サービスタイプテーブル５１や提供ジャンルタイプテーブル５２を用いて検出する（Ｓ３、Ｓ８）とともに、適合する食事施設の情報を液晶ディスプレイ１５に表示することにより利用者に提供する（Ｓ７）ので、現在時刻に応じて真に利用者にとって必要な食事施設の情報を選別して提供することが可能となる。従って、利用者は必要な情報を煩雑な作業をすることなく迅速に得ることができ、利便性が大きく向上する。
また、車両の現在地から半径１０ｋｍ以内に位置する食事施設の情報のみを利用者に提供するので、より現在の利用者の状況に応じた必要な食事施設の情報を選別して提供することが可能となる。
また、食事施設の情報の検索では、提供サービスタイプテーブル５１において各時間帯毎に予め設定されたキーワードの内、現在時間帯に対応するキーワードがサービス内容の説明文字列に含まれているか否かを判定し、キーワードが含まれていると判定された場合に、キーワードが含まれている説明文字列が関連付けられた食事施設の情報を提供するので、多数の情報の中から利用者が必要とする食事施設の情報を正確に選別して提供することが可能となる。更に、提供ジャンルタイプテーブル５２において各時間帯毎に適合すると設定されたジャンルが食事施設のジャンルと一致するか否かを判定し、一致すると判定された場合に一致する食事のジャンルが関連付けられた食事施設の情報を提供するので、同様に多数の情報の中から利用者が必要とする食事施設の情報を正確に選別して提供することが可能となる。
また、現在時刻が営業時間内である食事施設の情報を更に抽出して利用者に提供するので、多数の情報の中から提供するに値しない営業時間外である食事施設の情報を予め除くことができ、利用者が必要とする食事施設の情報を選別して提供することが可能となる。
【００６４】
（第２実施形態）
次に、第２実施形態に係るナビゲーション装置について図９に基づいて説明する。尚、以下の説明において上記図１乃至図８の第１実施形態に係るナビゲーション装置１の構成と同一符号は、前記第１実施形態に係るナビゲーション装置１等の構成と同一あるいは相当部分を示すものである。
【００６５】
この第２実施形態に係るナビゲーション装置の概略構成は、第１実施形態に係るナビゲーション装置１とほぼ同じ構成である。また、各種制御処理も第１実施形態に係るナビゲーション装置１とほぼ同じ制御処理である。
ただし、第１実施形態に係るナビゲーション装置１が食事施設の情報が格納された施設情報ＤＢ２２をナビゲーション装置内に有していたのに対し、第２実施形態にかかるナビゲーション装置では情報センタ２の情報ＤＢ２０４内に格納された施設情報ＤＢ２２から食事施設の情報を取得する点で前記第１実施形態に係るナビゲーション装置１と異なっている。
【００６６】
先ず、第２実施形態に係るナビゲーション装置１及び情報センタ２からなる情報提供システム３の概略構成について図９を用いて説明する。図９は第２実施形態に係る情報提供システム３を示したブロック図である。
【００６７】
図９に示すように第２実施形態に係る情報提供システム３は、情報センタ２と、ナビゲーション装置１と、ネットワーク４から基本的に構成されている。そして、情報センタ２とナビゲーション装置１は、ネットワーク４を介して各種の情報の送受信が可能となるように構成されている。尚、ナビゲーション装置１の構成は、データ記録部１２に施設情報ＤＢ２２が格納されていない点を除けば第１実施形態に係るナビゲーション装置１（図１参照）と同様であり、その説明は省略する。
【００６８】
ここで、ネットワーク４としては、例えばＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、イントラネット、携帯電話回線網、電話回線網、公衆通信回線網、専用通信回線網、インターネット等の通信回線網等の通信系を使用することができる。そして、放送衛星によるＣＳ放送、ＢＳ放送、地上波ディジタルテレビ放送、ＦＭ多重放送等を利用する通信系を使用することもできる。更に、高度道路交通システム（ＩＴＳ）において利用されるノンストップ自動料金支払いシステム（ＥＴＣ）、狭域通信システム（ＤＳＲＣ）等の通信系を使用することもできる。
【００６９】
情報センタ２は、図９に示すようにサーバ２００と、サーバ２００に接続された情報記録部としての情報ＤＢ（情報記憶手段）２０４と、センタ側通信装置（情報送信手段）２０５とを備える。また、サーバ２００は、サーバ２００の全体の制御を行う演算装置及び制御装置としてのＣＰＵ２０１、並びにＣＰＵ２０１が各種の演算処理を行うに当たってワーキングメモリとして使用されるＲＡＭ２０２、ナビゲーション装置１からの通信に基づいて適当な食事施設の情報を情報ＤＢ２０４から抽出し、ナビゲーション装置１に対して送信する情報抽出制御等を行うための各種の制御プログラムが記録されたＲＯＭ２０３等の内部記憶装置を備えている。また、ＣＰＵ２０１に代えてＭＰＵ等を使用することができる。
【００７０】
また、情報ＤＢ２０４には前記図２に示した施設情報ＤＢ２２が格納されており、サーバ２００はナビゲーション装置１から送信された要求に対応した食事施設の情報を施設情報ＤＢ２２に基づいて生成し、センタ側通信装置２０５を用いて生成した情報をナビゲーション装置１に提供する。
【００７１】
尚、情報センタ２は、個人、企業、団体、地方自治体、政府関係機関等のいずれが運営していてもよく、ＶＩＣＳ（登録商標：ＶｅｈｉｃｌｅＩｎｆｏｒｍａｔｉｏｎ ａｎｄ ＣｏｍｍｕｎｉｃａｔｉｏｎＳｙｓｔｅｍ）センタが運営していてもよい。
【００７２】
上記構成を有する情報提供システム３によれば、ナビゲーション装置１において現在時刻を検出した後に、サーバ２００のＣＰＵ２０１が施設情報ＤＢ２２に格納されている食事施設の情報から現在時刻が属する現在時間帯に適合する食事施設を検出し（図５のＳ３〜Ｓ６、Ｓ８〜Ｓ９の処理に相当）、ナビゲーション装置１が適合する食事施設の情報を液晶ディスプレイ１５に表示する（図５のＳ７、Ｓ１０の処理に相当）ことにより利用者に提供することが可能となる。従って、情報センタ２が有する食事施設の情報の内、現在時刻に応じて真に利用者にとって必要な食事施設の情報を選別してナビゲーション装置１により提供することが可能となる。
【００７３】
尚、本発明は前記実施形態に限定されるものではなく、本発明の要旨を逸脱しない範囲内で種々の改良、変形が可能であることは勿論である。
例えば、第１及び第２実施形態では、現在時刻を検出し（Ｓ１）、検出された現在時刻に基づいて適合する食事施設の情報を検索及び抽出することとしているが（Ｓ３、Ｓ５、Ｓ８）、操作部１４を用いて利用者が入力した任意の時刻又は時間帯に基づいて適合する食事施設の情報を検索及び抽出するようにしても良い。それによって、現時点では利用しないが、利用者が将来的に食事施設を利用したい場合（例えば、午前中に予め夕食を取りたい施設の情報を得たい場合）等に、利用したい時刻に合わせた食事施設の情報を取得することが可能となる。
【００７４】
また、第１及び第２実施形態では、適合する食事施設の情報がないと判定された場合（Ｓ６：ＮＯ、Ｓ９：ＮＯ）には、該当する食事施設が無い旨を表示する（Ｓ１０）こととしているが、適合しない食事施設の情報を表示することとしても良い。
【図面の簡単な説明】
【００７５】
【図１】第１実施形態に係るナビゲーション装置を示したブロック図である。
【図２】第１実施形態に係る施設情報ＤＢに格納された情報を示した図である。
【図３】第１実施形態に係る提供サービスタイプテーブルについて示した図である。
【図４】第１実施形態に係る提供ジャンルタイプテーブルについて示した図である。
【図５】第１実施形態に係るナビゲーション装置が実行する情報提供処理プログラムのフローチャートである。
【図６】ナビゲーション装置の液晶ディスプレイに食事施設の情報を表示する際の表示形式を示した模式図である。
【図７】ナビゲーション装置の液晶ディスプレイに食事施設の情報を表示する際の別の表示形式を示した模式図である。
【図８】ナビゲーション装置の液晶ディスプレイに食事施設の情報を表示する際の別の表示形式を示した模式図である。
【図９】第２実施形態に係る情報提供システムを示したブロック図である。
【符号の説明】
【００７６】
１              ナビゲーション装置
２              情報センタ
３              情報提供システム
１２            データ記録部
１５            液晶ディスプレイ
１６            スピーカ
１７            通信装置
２２            施設情報ＤＢ
３１            ＧＰＳ
３２            地磁気センサ
４１            ＣＰＵ
４２            ＲＡＭ
４３            ＲＯＭ
５１            提供サービスタイプテーブル
５２            提供ジャンルタイプテーブル
２００          サーバ
２０４          情報ＤＢ
２０５          センタ側通信装置
【図１】
2007010573.tif 000003
【図２】
2007010573.tif 000004
【図３】
2007010573.tif 000005
【図４】
2007010573.tif 000006
【図５】
2007010573.tif 000007
【図６】
2007010573.tif 000008
【図７】
2007010573.tif 000009
【図８】
2007010573.tif 000010
【図９】
2007010573.tif 000011